(57)【特許請求の範囲】
【請求項１】
充電可能なバッテリが装着されるポータブル電子機器を配置するための着座部を形成する充電器本体と、この充電器本体を外部電源に接続するための接続具とを備え、その接続具により得た電力を前記着座部に配置されたポータブル電子機器に供給して前記バッテリへの充電を可能にした充電装置において、前記充電器本体に、前記接続具からの給電の停止に際して前記着座部に配置されたポータブル電子機器のバッテリを電源として使用して駆動される付加装置が設けられて成ることを特徴とする充電装置。
【発明の詳細な説明】
【０００１】
【発明の属する技術分野】
本発明は、ミニディスクプレーヤ、コンパクトディスクプレーヤ、又は携帯電話機といったポータブル電子機器に充電可能なバッテリを装着したまま、そのバッテリへの充電を可能にした置台形の充電装置に関する。
【０００２】
【従来の技術】
近年、携帯電話機などの携帯型通信機（携帯端末）ほか、ミニディスクプレーヤやコンパクトディスクプレーヤなども小型によるポータブル化が顕著である。それらのポータブル電子機器には内部機器への電力供給源と成すバッテリが内蔵されるが、バッテリとしては主にニッケル水素蓄電池やリチウム硫黄蓄電池など充電の可能な二次電池が多用される。ここに、バッテリ電圧が低下したときには充電を必要とするが、その充電用として例えば図５に示すような充電器が一般に良く知られている。
【０００３】
図５において、Ｍは置台形の充電器本体（卓上ホルダ）であり、この充電器本体Ｍには、ポータブル電子機器として例えば携帯電話機を配置するための着座部Ｈが形成される。又、充電器本体Ｍには商用電源のコンセントなどに差し込むためのＡＣアダプタＷが接続され、着座部Ｈには携帯電話機の外部電極に接触する充電端子ｅが設けられる。そして、この種の充電器によれば、例えば商用電源に接続されるＡＣアダプタＷから充電端子ｅを通じて携帯電話機に電力供給をし、これに内蔵されるバッテリ（二次電池）に充電をすることができる。
【０００４】
【発明が解決しようとする課題】
しかしながら、従来における置台形の充電器は着座部上にポータブル電子機器を置くだけでバッテリへの充電ができるという手軽さがあるものの、基本的に充電機能を有するだけでそれ以外に格別な効果は発揮しない。
【０００５】
そこで、本願発明者らは充電器本体に付加機能をもたせた図６のような充電装置を先に発案した。図６に示すように、その充電装置は充電器本体Ｍに付加機能としてスピーカ本体Ｓと増幅器Ａとで成るスピーカユニットSyを設け、ＡＣアダプタＷにより得た外部の交流電源を充電回路Ｅで整流しつつ、その直流電圧をポータブル電子機器Ｐ（例えばポータブルＭＤ）とスピーカユニットSyとに分配し、ポータブルＭＤ内のバッテリＢへの充電をしながらスピーカユニットSyを駆動させ得るようにしたものであり、これによれば、充電中のポータブルＭＤで再生された音響信号をスピーカユニットSyから音波として出力することができる。尚、図６において、Ｌはポータブル電子機器Ｐの音響信号をスピーカユニットSyに供給する信号線である。
【０００６】
しかし、以上のような充電装置では充電器本体を商用電源などに接続しないとスピーカユニットが駆動しないので、その機能を場所を問わずに発揮させることができないという問題があった。
【０００７】
本発明は以上のような事情に鑑みて成されたものであり、その目的は充電器本体に充電以外の機能を付加し、その付加機能を場所を問わずに発揮できるようにすることにある。
【０００８】
【課題を解決するための手段】
本発明は上記目的を達成するため、充電可能なバッテリ２が装着されるポータブル電子機器１を配置するための着座部５を形成する充電器本体４と、この充電器本体４を外部電源に接続するための接続具８（ＡＣアダプタ）とを備え、その接続具８により得た電力を着座部５に配置されたポータブル電子機器１に供給してバッテリ２への充電を可能にした充電装置において、充電器本体４に、接続具８からの給電の停止に際して着座部５に配置されたポータブル電子機器１のバッテリ２を電源として使用して駆動される付加装置１０（スピーカユニット）が設けられて成ることを特徴とする充電装置を提供するものである。
【０００９】
【発明の実施の形態】
以下、本発明の適用例を図面に基づいて詳細に説明する。先ず、図１に本発明に係る充電装置の好適な態様を示す。図１において、１はポータブル型のミニディスクプレーヤ、コンパクトディスクプレーヤ、又は携帯電話機といった小型のポータブル電子機器（本例においてミニディスクプレーヤ；ポータブルＭＤ）であり、その機器本体内にはニッケル水素蓄電池などの充電可能なバッテリ２（二次電池）が装填、装着される。
【００１０】
一方、３は上記のようなポータブル電子機器に装着されるバッテリ２へ充電をするための本願充電装置であり、これはポータブル電子機器１を載せるための台座と成す充電器本体４を主要体として構成される。その充電器本体４はポータブル電子機器１の下端面を支持する着座部５と、この着座部５上に配置されたポータブル電子機器１を抱き抱えるようにして保持するコ字形の枠体６とを形成し、着座部５にはポータブル電子機器１の図示せぬ外部電極に接触する充電端子が突設される。又、充電器本体４にはコネクタ７を介して接続具（例えば図示するようなＡＣアダプタ８）が接続され、そのＡＣアダプタ８により得た電力（主にＡＣ１００Ｖの商用電源）を充電端子を通じてポータブル電子機器１に供給し、これに装着されるバッテリ２に充電できるようになっている。
【００１１】
尚、充電器本体４には着座部５に近接して上記バッテリ２が充電状態にあることを示す充電表示部９が設けられる。この充電表示部９は、着座部５に配置されたポータブル電子機器１の幅方向に沿って延び、図示せぬ光源により間接的に照明されるが、その光源からの放射光の一部は充電表示部９とポータブル電子機器１との間でポータブル電子機器１の表面部上方に向けて照射されるようにしてある。
【００１２】
又、充電器本体４には付加装置としてスピーカユニット１０が設けられる。特に、そのスピーカユニット１０はＡＣアダプタ８による外部電力の供給によって駆動されると共に、ＡＣアダプタ８からの給電停止時にはポータブル電子機器１のバッテリ２を電源として駆動されるようにしてある。
【００１３】
図２は、そのブロック図を示す。図２において、１１はバッテリ２への充電に適した直流電圧と成す既設の充電回路であり、その出力側は着座部に設けた充電端子ｅに接続されるほか、アンプ電源回路１２を介してスピーカユニット１０に接続される。アンプ電源回路１２は充電回路１１又はポータブル電子機器のバッテリ２から直流電力を受け、これをスピーカユニット１０側に出力する昇圧形のＤＣ／ＤＣコンバータであって、例えば図３のような回路構成とされる。
【００１４】
一方、スピーカユニット１０は、アンプ電源回路１２による昇圧電力を得てポータブル電子機器１からの入力信号（オーディオ信号）を増幅する増幅器１０Ａと、この増幅器１０Ａからの入力電力によって駆動するスピーカ本体１０Ｂとで構成される。尚、１３はスピーカユニット１０に信号を入力するための信号線であり、その一端部は本例においてポータブル電子機器１に設けられるヘッドホンジャックｊに接続され、その中途にはポータブル電子機器１に制御信号を与えるためのコントローラＣが介在される（図１参照）。
【００１５】
なお、ポータブル電子機器１の外部電極端子（図示せず）近傍に音響信号出力端子を設けると共に、充電器本体４側の着座部５の充電端子ｅ近傍に、スピーカユニット１０に音響信号を供給するための音響信号入力端子を設け、ポータブル電子機器１を着座部５上に配置した際に、音響信号出力端子と音響信号入力端子とが接触し、信号線１３を用いなくともポータブル電子機器１側から充電器本体４側のスピーカユニット１０に音響信号が供給されるようにしてもよい。
【００１６】
ここで、以上のように構成される充電装置３の作用を説明する。先ず、ポータブル電子機器１のバッテリ２に充電をするには、接続具として例えばＡＣアダプタ８を用い、これを商用電源のコンセントに差し込む一方、ＡＣアダプタのコネクタ７を充電器本体４に結合する。そして、ポータブル電子機器１にバッテリ２を装着したまま、これを枠体６内に差し込んで着座部５上に配置し、その外部電極と着座部５に設けられる充電端子ｅとを接触させる。
【００１７】
これにより、交流の商用電源（外部電源）からＡＣアダプタ８により取り出された電力が充電回路１１により適正電圧にされつつ、ポータブル電子機器１側とスピーカユニット１０側とに供給され、ポータブル電子機器１側への供給電力によりその内部に装着されたバッテリ２への充電が開始される。このとき、ポータブル電子機器１（ポータブルＭＤ）の主電源を入れ、その内部に装填した図示せぬ情報記録媒体（ＭＤ）を再生駆動させると、そのオーディオ信号が信号線１３を通じてスピーカユニット１０に与えられ、これがスピーカ本体１０Ｂより音波として出力される。よって、外部電源によってバッテリ２への充電をしながらスピーカユニット１０を駆動させて音楽鑑賞などをすることができる。
【００１８】
一方、ＡＣアダプタ８をコンセントなどから抜き取ってＡＣアダプタ８による充電器本体４への外部電源の給電を停止した場合、ポータブル電子機器１に装着されたバッテリ２から充電端子ｅを通じてアンプ電源回路１２に放電電流が供給され、その供給電力によりスピーカユニット１０が駆動される。よって、商用電源など外部電源からの給電が停止された場合でも、バッテリ２が一定レベルの電圧を保っている間、その電力でポータブル電子機器１とスピーカユニット１０とを駆動させつつ、オーディオ信号を所定の音圧レベルで外部出力することができる（小型のスピーカではバッテリ２により７〜８時間駆動可能）。
【００１９】
尚、ポータブル電子機器１を充電終了後に着座部５に放置したままにすると、その主電源が切られていても、バッテリ２の放電によりその電圧が低下してしまうため、本例ではこれを防止するべく図４に示すような回路をポータブル電子機器１に組み込んでいる。
【００２０】
図４において、１４はポータブル電子機器に設けられる主電源スイッチ、１５はその主電源スイッチ１４に接続するＩＣ（Digital-signal-processer）、１６はオーディオ信号出力部であり、この回路によれば主電源スイッチ１４が切られたときに、バッテリ２から充電器本体４側に向かう電路を遮断して、バッテリ２の放電を防止することができる。
【００２１】
以上、本発明の好適な態様を説明したが、本発明に係る充電装置はポータブル電子機器をポータブルＭＤに限るものでなく、その他のオーディオ装置や携帯電話機などにも適用でき、携帯電話機用にして受信信号をスピーカユニット１０に出力することにより、所謂ハンズフリー方式で会話をすることができる。又、付加装置はスピーカユニットであることに限らず、これをＬＣＤなどのディスプレイ装置として画像信号や文字信号を出力することもできる。更に、付加装置を点滅する照明装置として、これをポータブル電子機器のバッテリで駆動させることによりイルミネーション効果を得ることもできる。
【００２２】
【発明の効果】
以上の説明から明らかなように、本発明によればポータブルＭＤ、ポータブルＣＤ、又は携帯電話機といったポータブル電子機器用の充電装置にして、その充電器本体にスピーカユニットなどの付加装置を設け、接続具から充電器本体への給電が停止された場合でも付加装置がポータブル電子機器のバッテリを電源として駆動するようにしていることから、屋外など外部電源を得難い場所でも付加装置の機能を発揮させ、ポータブル電子機器を充電器本体に配置したまま音楽や会話などを楽しむことができる。
【図面の簡単な説明】
【図１】本発明に係る充電装置の使用状態を示した斜視図
【図２】同充電装置における電気系統のブロック図
【図３】アンプ電源回路の構成例を示した回路図
【図４】ポータブル電子機器に組み込まれるバッテリ放電防止用の回路図
【図５】従来の充電器を示した斜視図
【図６】従来装置における電気系統のブロック図
【符号の説明】
１  ポータブル電子機器
２  バッテリ（二次電池）
３  充電装置
４  充電器本体
５  着座部
８  接続具（ＡＣアダプタ）
１０  付加装置（スピーカユニット）
１０Ａ  増幅器
１０Ｂ  スピーカ本体
１１  充電回路
１２  アンプ電源回路
１３  信号線
【図１】
0003755446.tif 000002
【図２】
0003755446.tif 000003
【図３】
0003755446.tif 000004
【図４】
0003755446.tif 000005
【図５】
0003755446.tif 000006
【図６】
0003755446.tif 000007